(57)【要約】【課題】スタンドで支持した設置や壁に掛けた設置に応じて、出力する音声の特性を変更可能な電子機器及び音声制御方法を提供することを実現する。【解決手段】テレビジョン放送受信装置１００は、壁掛け設置とスタンド設置との設置形態がある。出力する音声は、各設置形態に応じて設定されたプリセットモードを壁掛け設置タブ２０１とスタンド設置タブ２０２から選択する。更に、各周波数帯域の音声信号のゲインレベルを増減させて、ユーザ自身で音声特性を詳細に設定することができる。これによりテレビジョン放送受信装置１００をスタンド１２０で支持して設置した場合及び壁に掛けて設置した場合の何れにおいても、聴取に適切な音声に変更することができる。【選択図】  図８
2011188220.tif 000002
【特許請求の範囲】
【請求項１】
音声を出力するスピーカを内蔵する電子機器であって、
前記スピーカへ入力される音声信号の特性を変更するイコライザと、
前記音声信号の複数の周波数帯域の信号成分ごとに強度を記憶する記憶部と、
を有し、
前記電子機器は、少なくとも壁に掛ける第１の設置形態を有し、
前記記憶部は、前記第１の設置形態に対応付けた各周波数帯域の信号成分の強度を、第１の基準値として記憶することを特徴とする電子機器。
【請求項２】
前記スピーカは、下方向に向けて音声を出力することを特徴とする請求項１に記載の電子機器。
【請求項３】
前記電子機器は、スタンドで支持される第２の設置形態を有し、
前記記憶部は、前記第２の設置形態に対応付けた各周波数帯域の信号成分の強度を、第２の基準値として記憶することを特徴とする請求項１に記載の電子機器。
【請求項４】
音声を出力するスピーカを内蔵する電子機器の音声制御方法であって、
少なくとも壁に掛ける設置形態を有する前記電子機器の複数の設置形態の中から、１の設置形態を選択し、
前記スピーカに入力する音声信号の複数の周波数帯域の信号成分ごとの強度を、前記複数の設置形態のそれぞれに対応付けた複数の基準値として記憶し、
前記選択された設置形態と対応付けられた基準値を読み込み、
前記基準値から、各周波数帯域の信号成分ごとに強度を変更することを特徴とする音声制御方法。
【請求項５】
壁に掛ける第１の設置形態に対応した第１の音声パラメータと、スタンドで支持される第２の設置形態に対応した第２の音声パラメータとを記憶する記憶部と、
前記第１の音声パラメータを用いた第１の音声処理または前記第２の音声パラメータを用いた第２の音声処理を実行する音声処理部と、
前記第１の音声処理と前記第２の音声処理との何れかの音声処理を実行することを選択するためのユーザインターフェースと、
を有することを特徴とする電子機器。
【発明の詳細な説明】
【技術分野】
【０００１】
本発明は電子機器及び音声制御方法に関する。
【背景技術】
【０００２】
テレビジョン放送受信装置に内蔵されるスピーカから出力される音声は、テレビジョン放送受信装置が設置された部屋の中に並存する物品や壁などにより反射される。従って、音声の聴こえ方は、音声を出力するスピーカと、テレビ台や壁などといった音声を反射する物体との位置関係によって変化する。
【０００３】
そこでテレビジョン放送受信装置の設置位置によって音声特性を調整することが行われている（例えば、特許文献１参照）。特許文献１の発明によれば、テレビジョン放送受信装置１００の設置する部屋のタイプ（洋室、和室、寝室）や部屋内における設置位置（壁ぎわ、コーナー）によってテレビジョン放送受信装置に内蔵されるスピーカの音質を調整することができる。
【先行技術文献】
【特許文献】
【０００４】
【特許文献１】特開２００８−３５２５４号公報
【発明の概要】
【発明が解決しようとする課題】
【０００５】
一般にスピーカは、磁石と、ボイスコイルと、コーン紙とから構成される。磁石の磁力線と、音声電流による磁力線の働きでコイルが動き、この動きによりコーン紙を振動させて音波を生成することで音声が出力される。磁石と、ボイスコイルと、コーン紙とは音の出力方向に並べて配置されるため、スピーカの構造は音の出力方向に向かって一定の厚さを要する。
【０００６】
近年、テレビジョン放送受信装置の筐体を薄型化する傾向にあり、テレビジョン放送受信装置の厚さをスピーカの厚さ以下にしたものも既に登場している。
通常テレビジョン放送受信装置は、スタンドで支持してテレビ台等に載置されるが、薄型化に伴い壁に掛けて設置可能なものも登場している。テレビジョン放送受信装置を壁に掛けて設置する場合、設置する高さやスピーカ下に位置する物体等は様々である。つまり、スピーカと、音の出力方向に存在する物体の位置関係が変わるため、この物体と反射されて聴取される音声も大きく変わり得る。このため、テレビジョン放送受信装置を壁掛け設置した後に、ユーザが実際にテレビジョン放送受信装置から出力される音声を聴取しつつ、音声設定を調整し、より快適な聴取を実現することが求められている。
【０００７】
本発明は、上述した点に鑑みてなされたものであり、スタンドで支持した設置や壁に掛けた設置に応じて、出力する音声の特性を変更可能な電子機器及び音声制御方法を提供することを目的とする。
【課題を解決するための手段】
【０００８】
上記目的を達成するために、本発明に係る電子機器は、音声を出力するスピーカを内蔵する電子機器であって、前記スピーカへ入力される音声信号の特性を変更するイコライザと、前記音声信号の複数の周波数帯域の信号成分ごとに強度を記憶する記憶部と、を有し、前記電子機器は、少なくとも壁に掛ける第１の設置形態を有し、前記記憶部は、前記第１の設置形態に対応付けた各周波数帯域の信号成分の強度を、第１の基準値として記憶することを特徴としている。
【０００９】
また、本発明に係る音声制御方法は、音声を出力するスピーカを内蔵する電子機器の音声制御方法であって、少なくとも壁に掛ける設置形態を有する前記電子機器の複数の設置形態の中から、１の設置形態を選択し、前記スピーカに入力する音声信号の複数の周波数帯域の信号成分ごとの強度を、前記複数の設置形態のそれぞれに対応付けた複数の基準値として記憶し、前記選択された設置形態と対応付けられた基準値を読み込み、前記基準値から、各周波数帯域の信号成分ごとに強度を変更することを特徴としている。
【発明の効果】
【００１０】
本発明によれば、スタンドで支持した設置や壁に掛けた設置に応じて、出力する音声の特性を変更可能な電子機器及び音声制御方法を提供することが実現する。
【図面の簡単な説明】
【００１１】
【図１】本実施の形態におけるスタンド設置のテレビジョン放送受信装置の外観図。
【図２】本実施の形態における壁掛け設置のテレビジョン放送受信装置の外観図。
【図３】本実施の形態におけるテレビジョン放送受信装置の機能ブロック図。
【図４】本実施の形態における音声処理に関する機能ブロック図。
【図５】本実施の形態におけるスタンド設置時のプリセットモード画面を示す図。
【図６】本実施の形態における壁掛け設置時のプリセットモード画面を示す図。
【図７】本実施の形態におけるプリセットモード画面での音声制御の例を示す図。
【図８】本実施の形態における音声制御手順のフローチャート。
【発明を実施するための形態】
【００１２】
以下、図１〜図８を用いて、本発明の実施の形態について説明する。
本発明に係る電子機器として、テレビジョン放送受信装置１００を例に説明をする。本実施の形態におけるテレビジョン放送受信装置１００には少なくとも２つの設置形態があり、スタンド１２０を介してテレビ台１６０に載置するスタンド設置と、スタンド１２０なしに壁に掛けて設置する壁掛け設置とがある。壁掛け設置とは例えば、テレビジョン放送受信装置１００壁掛け用の金具を壁に固定し、この金具にテレビジョン放送受信装置１００をかけることで設置する。
【００１３】
また、テレビジョン放送受信装置１００は、２つの設置形態に対応する、２つの音声プリセットモードを有する。この音声プリセットモードは、製造者が壁掛け設置とスタンド設置の周波数特性を計測して得られた複数の周波数帯域の信号成分の差分をそれぞれの信号強度を調整し、各設置形態において聴取に適切な音声として初期設定したものである。ユーザは、テレビジョン放送受信装置１００の使用開始時に、音声の初期設定としてスタンド設置プリセットモードと壁掛け設置プリセットモードとの何れを選択する。
【００１４】
まず、図１を用いてテレビジョン放送受信装置１００の第１の設置形態としてスタンド設置について説明する。図１は、本実施の形態におけるスタンド設置のテレビジョン放送受信装置１００の外観図である。本実施の形態において、ＸＹＺ軸を図１左上に示すように定義し、Ｘ軸を左右方向（正の方向を右）、Ｙ軸を鉛直方向（正の方向を上）、Ｚ軸を奥行き方向（正の方向を奥）とする。ディスプレイ１３０の表示面はＸＹ平面上に設けられる。
【００１５】
テレビジョン放送受信装置１００は、主として薄型のキャビネット１１０と、これを支持するスタンド１２０とから構成されている。キャビネット１１０は、後述するチューナ３等の電子装置を格納する。スタンド１２０はテレビ台１６０に載置して設置するための支持機構である。また、キャビネット１１０の正面中央部にディスプレイ１３０が配置され、映像を視聴することができる。また、左右の下端にはスピーカ１４０が配置され、ステレオ音声再生を行うことができる。
【００１６】
スピーカ１４０は、キャビネット１１０内において音声出力方向が下向きに内蔵され、音声がテレビジョン放送受信装置１００の下方へ出力される。出力された音声はテレビジョン放送受信装置１００の載置されているテレビ台１６０や、スピーカ１４０の下方に位置するスタンド１２０等で反射され、広がりのある音声を聴取することができる。また、スピーカ１４０は、下向きに音声を出力するように配置され、前面からは配置されている位置が見えないようになっている。
【００１７】
図１のようにスタンド設置したとき、ユーザは音声の初期設定としてスタンド設置プリセットモードを選択する。本実施の形態においては、スタンド設置プリセットモードから、更に音声設定を変更し、ユーザの嗜好に沿った音声にすることが出来る。即ち、スタンド設置プリセットモードで設定されている複数の周波数帯域の信号成分のそれぞれの信号強度を基準として、各信号強度を変更することが出来る。この音声の詳細設定については、後に詳述する。
【００１８】
ディスプレイ１３０は、例えばＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）パネル、ＬＣＤ（Ｌｉｑｕｉｄ  Ｃｒｙｓｔａｌ  Ｄｉｓｐｌａｙ）パネル等である。
【００１９】
キャビネット１１０の正面下部には、リモートコントローラ１５０から無線送信されたコマンドを受信するための受信部１６が設けられる。また、テレビジョン放送受信装置１００のキャビネット１１０の側面には、電源スイッチ等の操作部１５が配置されている。テレビジョン放送受信装置１００は、図示しないプラグを介して外部から電力供給を受け、後述するアンテナ１を介して各種の放送波を受信して、この受信した放送波の信号を信号処理部５でデコードすることにより映像信号、及び音声信号を出力する。ディスプレイ１３０はデコードされた映像信号を処理して映像を表示し、スピーカ１４０はデコードされた音声信号を処理して音声を出力する。
【００２０】
尚、本実施の形態においては、キャビネット１１０内にチューナ３等の電子装置を格納するとしたが、これに限定されることはない。即ち、チューナ３等の電子装置をキャビネット１１０とは別の筐体に格納し、この筐体とテレビジョン放送受信装置１００とを接続して、テレビジョン放送受信装置１００に備えられるディスプレイ１３０及びスピーカ１４０にて映像音声を出力するとしても良い。
【００２１】
次に、図２を用いてテレビジョン放送受信装置１００の第２の設置形態として壁掛け設置について説明する。図２は、本実施の形態における壁掛け設置のテレビジョン放送受信装置１００の外観図である。
【００２２】
図２に示すように、スタンド１２０によってテレビ台１６０に載置せず、壁面に固定された金具（図示しない）にキャビネット１１０を掛けて設置している。従って、スピーカ１４０から出力された音は、下方に位置する物体によって反射される。
【００２３】
壁掛け設置されていると、スタンド設置時のテレビ台１６０のようにスピーカ１４０の下方に位置する物体が固定されていない。即ち、キャビネット１１０と床やテレビ台１６０との距離はユーザの設置の仕方によって大きく異なる。これに伴い、スピーカ１４０からの音の反射の仕方も変化し得る。
【００２４】
図２のように壁掛け設置を行ったとき、ユーザは音声の初期設定として壁掛け設置プリセットモードを選択する。しかし、壁掛け設置においては上述のようにユーザによって設置方法が様々であるため、製造者が想定していた設置状況と異なる設置となり得る。従って、製造者がプリセットモードとして設定した音声が必ずしも適切な音声設定とは限らない。そこで、本実施の形態においては、壁掛け設置プリセットモードから、更に音声設定を変更できる。即ち、壁掛け設置プリセットモードで設定されている複数の周波数帯域の信号成分のそれぞれの信号強度を基準として、各信号強度を変更することが出来る。この音声の詳細設定については、後に詳述する。
【００２５】
次に、図３を用いて、テレビジョン放送受信装置１００の構成について説明する。図３は、本実施の形態におけるテレビジョン放送受信装置１００の機能ブロック図である。
【００２６】
テレビジョン放送受信装置１００は、アンテナ１と、入力端子２と、チューナ３と、ＴＳ（Ｔｒａｎｓｐｏｒｔ  Ｓｔｒｅａｍ）処理部４と、信号処理部５と、グラフィック処理部６と、ＯＳＤ（Ｏｎ  Ｓｃｒｅｅｎ  Ｄｉｓｐｌａｙ）信号生成部７と、音声処理部８と、映像処理部９と、ＨＤＤ（Ｈａｒｄ  Ｄｉｓｋ  Ｄｒｉｖｅ）１０と、制御部１１と、操作部１５と、受信部１６と、ＨＤＭＩ  Ｉ／Ｆ１７と、ＨＤＭＩ端子１８と、ディスプレイ１３０と、スピーカ１４０とを備える。
【００２７】
また、制御部１１は、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、不揮発性メモリ１４と、ＣＰＵ（Ｃｅｎｔｒａｌ  Ｐｒｏｃｅｓｓｉｎｇ  Ｕｎｉｔ）を備えている。
【００２８】
アンテナ１は、放送形式として地上波デジタル放送、ＢＳデジタル放送及びＣＳデジタル放送等を受信することができるように構成されたアンテナである。
入力端子２は、アンテナ１から受信した放送信号をチューナ３に入力する。
チューナ３は、制御部１１からの制御信号により所望のチャンネルの放送信号を地上波デジタル放送、ＢＳデジタル放送及びＣＳデジタル放送の３種類の中から選局し、この選局された放送信号を復調（地上デジタル放送の場合にはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調、ＢＳデジタル放送及びＣＳデジタル放送の場合にはＰＳＫ（Ｐｈａｓｅ  Ｓｈｉｆｔ  Ｋｅｙｉｎｇ）復調）し、所望の番組を含んだＴＳ（Ｔｒａｎｓｐｏｒｔ  Ｓｔｒｅａｍ）を得てＴＳ処理部４に入力する。
【００２９】
チューナ３は、入力された放送信号の中から、指定されたチャンネルのＴＳを選局し、ＴＳ処理部４へ入力する。
ＴＳ処理部４は、選局されたチャンネルのＴＳがチューナ３から入力され、これら複数のＴＳを１つのＴＳに再多重して、信号処理部５に出力する。
信号処理部５は、ＴＳ処理部４から出力された複数のチャンネルが多重されたＴＳに、適切なデジタル信号処理を施す。デジタル信号処理が施されたＴＳは、データ信号、映像信号及び音声信号に分離される。この分離された映像信号はグラフィック処理部６に、音声信号は音声処理部８に、データ信号はＯＳＤ信号生成部７若しくは制御部１１に、それぞれ出力される。また、録画するためにＴＳ処理部４によって再多重されたＴＳは、制御部１１に出力される。
【００３０】
このデータ信号には、放送された番組に関する各種の情報が含まれ、例えばＥＰＧ情報がある。このＥＰＧ情報には、チャンネル情報や、チャンネル番号や、番組名や、スケジュール等が含まれる。
【００３１】
グラフィック処理部６は、信号処理部５から出力されるデジタルの映像信号のデコード処理を行う。デコードされた映像信号は、ＯＳＤ信号生成部７から出力されたＯＳＤ信号と重ね合わせて合成され、映像処理部９に出力される。グラフィック処理部６は、デコードされた映像信号又はＯＳＤ信号を、映像処理部９に選択的に出力することもできる。
【００３２】
ＯＳＤ信号生成部７は、制御部１１の制御に従って、ＵＩ（ユーザインターフェース）画面などを表示するためのＯＳＤ信号を生成する。また上述の信号処理部５において、デジタル放送信号から分離されたデータ信号は、ＯＳＤ信号生成部７により適切なフォーマットのＯＳＤ信号に変換され、グラフィック処理部６に出力される。
【００３３】
音声処理部８は、信号処理部５から入力された音声信号に、後述するイコライザ３５で記憶している複数の音声パラメータを用いて音声処理を施し、スピーカ１４０で再生可能なフォーマットのアナログ音声信号に変換する。アナログに変換された音声信号は、スピーカ１４０に出力されて再生される。
【００３４】
映像処理部９は、グラフィック処理部６から出力された信号を、ディスプレイ１３０で表示可能なフォーマットのアナログ映像信号に変換する。アナログに変換された映像信号は、ディスプレイ１３０に出力される。
【００３５】
ＨＤＤ１０は、制御部１１による制御に基づいて、チャンネルごとのＴＳを格納する。
制御部１１は、操作部１５から入力されるコマンドや、リモートコントローラ１５０から送信され受信部１６を介して受信されるコマンドに応じて、ＲＯＭ１２に予め記録されたシステム制御プログラム及び各種処理プログラムを起動させる。制御部１１は、起動したプログラムに従って、ＲＡＭ１３をワークメモリとして装置各部の動作を制御する。
【００３６】
また、制御部１１は、テレビジョン放送受信装置１００の録画及び録画した番組を再生する機能の制御を行う。即ち、制御部１１は、ＴＳ処理部４から出力された複数チャンネルが多重されているＴＳをチャンネルごとのＴＳに戻し、ＨＤＤ１０に記録する。
【００３７】
また、制御部１１は、録画したデータの再生する制御を実行し、ＨＤＤ１０に格納したチャンネルごとのＴＳを読み出して再生させた後、ディスプレイ１３０に表示させたり、スピーカ１４０から音声出力させたりすることができる。
【００３８】
ＲＯＭ１２は、ＣＰＵが実行するシステム制御プログラム及び各種処理プログラムを格納するメモリである。
ＲＡＭ１３は、ＣＰＵが各種プログラムを展開するための、いわゆるワーキングメモリである。
不揮発性メモリ１４は、各部の動作制御に必要な各種の設定情報及び制御情報等を格納する。
操作部１５は、ユーザによる操作に応じたコマンドを受け付け、制御部１１に入力する。
受信部１６は、ユーザによるリモートコントローラ１５０の操作に応じたコマンドを受け付け、制御部１１に入力する。
ＨＤＭＩ端子１８は、ＨＤＭＩ  Ｉ／Ｆ１７を介して制御部１１に接続されている。ＨＤＭＩ端子１８には、例えばパーソナルコンピュータや液晶ディスプレイやＡＶアンプ等に接続される。制御部１１は、ＨＤＭＩ端子１８及びＨＤＭＩ  Ｉ／Ｆ１７を介して接続される機器との間で、情報の伝達を行うことができる。
【００３９】
次に、図４を用いて本実施の形態における音声処理の動作について説明する。図４は、本実施の形態における音声処理に関する機能ブロック図である。
音声処理部８は、音声ＤＳＰ（Ｄｉｇｉｔａｌ  Ｓｉｎｇｌｅ  Ｐｒｏｃｅｓｓｏｒ）３２と、Ｄ／Ａ変換器３３と、音声アンプ３４とから構成される。音声ＤＳＰ３２は、音声処理を行うためのマイクロプロセッサであり、機能部としてイコライザ３５と、音量制御部３６とを有する。
【００４０】
イコライザ３５は、音声信号の５つの周波数帯域（１００Ｈｚ／３３０Ｈｚ／１ｋＨｚ／３．３ｋＨｚ／１０ｋＨｚ）の強度（ゲインレベル）を、制御部１１を介して入力される受信部１６で受信したコマンドに従って変更する。即ち、イコライザ３５は音声信号の特定の周波数帯域を強調若しくは減少させることにより、全体的な音質の補正を行うことができる。またイコライザ３５は、スタンド設置時及び壁掛け設置時のプリセットモードの、各周波数帯域におけるゲインレベルの基準値を記憶する。
【００４１】
音量制御部３６は、イコライザ３５で調整された音声信号のゲインレベルから、実際に出力すべき音量を設定してＤ／Ａ変換器３３へ出力する。
Ｄ／Ａ変換器３３は、音声ＤＳＰ３２で調整されたデジタル音声信号を、アナログ音声信号に変換し音声アンプ３４に出力する。
音声アンプ３４は、Ｄ／Ａ変換器３３から入力されるアナログ信号を、一定の増幅率で増幅し、スピーカ１４０に出力する。
次に図５〜７を用いて、音声制御画面２００により実行する音声制御について説明する。図５は、本実施の形態におけるスタンド設置時のプリセットモード画面を示す図である。
【００４２】
音声制御画面２００は、壁掛け設置タブ２０１と、スタンド設置タブ２０２と、音声制御グラフ２０３と、ポインタ２０４とを表示している。
壁掛け設置タブ２０１は、壁掛け設置時のプリセットモードを選択するタブである。壁掛け設置タブ２０１は、例えば「ＴＶ  Ｍｏｕｎｔｉｎｇ」と表示される。
スタンド設置タブ２０２は、スタンド設置時のプリセットモードを選択するタブである。スタンド設置タブ２０２は、例えば「Ｓｔａｎｄ」と表示される。
壁掛け設置タブ２０１とスタンド設置タブ２０２とは、リモートコントローラ１５０の操作により選択可能である。
音声制御グラフ２０３は、横軸に各周波数帯域、縦軸にゲインレベルをとったグラフである。
ポインタ２０４は、音声制御グラフ２０３中で、それぞれの周波数帯域におけるゲインレベルを示すポインタである。各周波数帯域において、リモートコントローラ１５０から入力されるコマンドにより変更されたゲインレベルを示す。
【００４３】
本実施の形態においては、周波数帯域の中心周波数として１００Ｈｚと、３３０Ｈｚと、１ｋＨｚと、３．３ｋＨｚと、１０ｋＨｚとをとる。ゲインレベルは、各周波数帯域における音声信号の強度を示す値である。ゲインレベルは、各プリセットモードの基準値をゼロとし、１レベルに対して所定の音声強度（単位ｄＢ）が設定されている。
【００４４】
各設置形態のプリセットモードにおける基準値は、製品製造時に所定の条件において聴取に適していると判断されたゲインレベルが設定されている。即ち、スタンド設置時のプリセットモードと壁掛け設置時のプリセットモードとでは、各周波数帯におけるゲインレベルの基準値（ゼロの値）は異なる。このように各設置形態に応じてゲインレベルを初期設定することで、大きく音声調整を行う必要がなく操作性を向上することができる。
【００４５】
尚、本実施の形態においては、イコライザ３５の中心周波数及び帯域幅（Ｑ値）を固定したグラフィックイコライザを例に説明したが、これらを変更可能なパラメトリックイコライザとしても良い。
【００４６】
図６は、本実施の形態における壁掛け設置時のプリセットモード画面を示す図である。壁掛け設置時のプリセットモード画面は、壁掛け設置タブ２０１が選択されている場合に表示される。壁掛け設置タブ２０１が選択されている場合、イコライザ３５に記憶している壁掛け設置プリセットモードの基準値を読み込み、スタンド設置プリセットモードにおける各周波数帯域の信号成分ごとのゲインレベルを基準として表示する。
【００４７】
図６の例に示す壁掛け設置プリセットモードとして、１００Ｈｚの音声信号はスタンド設置プリセットモードの基準値よりも１０レベル減、３３０Ｈｚの音声信号は基準値よりも５レベル増、１ｋＨｚの音声信号は基準値よりも１５レベル増、３．３ｋＨｚの音声信号は基準値よりも１０レベル増、１０ｋＨｚの音声信号は基準値よりも３レベル増と初期設定されている。一般に、低周波数の音声信号成分は壁に近づけると強度が増す傾向にあるため、壁掛け設置プリセットモードではマイナスの値に設定されている。
【００４８】
図７は、本実施の形態における音声調整画面２００での音声制御の例を示す図である。例えば、設置形態として壁掛け設置を選択している場合を例に説明する。リモートコントローラ１５０の操作により、周波数帯域の信号成分ごとのゲインレベルを増減させることができる。図７の例においては、１００Ｈｚの音声信号はスタンド設置プリセットモードの基準値と同一の値、３３０Ｈｚの音声信号は基準値よりも１５レベル増、１ｋＨｚの音声信号は基準値よりも９レベル増、３．３ｋＨｚの音声信号は基準値よりも１レベル増、１０ｋＨｚの音声信号は基準値よりも５レベル減と変更している。
【００４９】
次に、図８を用いて本実施の形態における音声制御処理の手順を説明する。図８は、本実施の形態における音声制御手順のフローチャートである。
イコライザ３５は、リモートコントローラ１５０から入力されるコマンドに従って、音声制御画面２００を表示する（ステップＳ１１）。
次に、制御部１１は、受信部１６から入力されるコマンドからスタンド設置が選択されたか否かを判別する（ステップＳ１２）。即ち、スタンド設置タブ２０２が選択されているか否かを判別する。ステップＳ１２で判別した結果、スタンド設置が選択されたと判別した場合（ステップＳ１２Ｙｅｓ）、スタンド設置のプリセットモードの基準値を読み込む（ステップＳ１３）。
【００５０】
一方、ステップＳ１２で判別した結果、壁掛け設置が選択されたと判別した場合（ステップＳ１２のＮｏ）、壁掛け設置のプリセットモードの基準値を読み込む（ステップＳ１４）。
【００５１】
次に、イコライザ３５は、音声制御に関する入力がされたか否かを判別する（ステップＳ１５）。即ち、各周波数帯のゲインレベルを増減させるコマンドがリモートコントローラ１５０から入力されたか否かを判別する。
【００５２】
ステップＳ１５で判別した結果、音声制御の入力がされたと判別した場合（ステップＳ１５のＹｅｓ）、入力に従って音声を変更する（ステップＳ１６）。即ち、選択された周波数帯域の音声信号についてゲインレベルを増減する。イコライザ３５は、音声特性を変更した音声信号を、音量制御部３６へ出力する（ステップＳ１７）。
【００５３】
一方、ステップＳ１５で判別した結果、音声制御に関する入力がされていないと判別した場合（ステップＳ１５のＮｏ）、ステップＳ１７に進む。以上で、本実施の形態における音声制御手順を終了する。
【００５４】
以上のように本実施の形態の構成によれば、テレビジョン放送受信装置１００をスタンド１２０で支持して設置した場合及び壁に掛けて設置した場合の何れにおいても、ユーザは聴取に適切な音声に変更することができる。
【００５５】
スピーカ１４０が下向きに音声を出力するようにテレビジョン放送受信装置１００内に収容されている場合、音声の出力方向に存在する物体により音声が反射される。即ち、ユーザはテレビジョン放送受信装置１００の下方に位置するテレビ台１６０や床により反射された音声を聴取する。特に、壁掛け設置時には、設置する高さやスピーカの下に存在する物体等はユーザにより任意に決定されるので、音声の反射の仕方も大きく変化し得る。
【００５６】
本実施の形態によれば、テレビジョン放送受信装置１００を設置し、音声を壁掛け設置プリセットモードもしくはスタンド設置プリセットモードに選択した後、ユーザは更に詳細に音声設定を変更して聴取に適した音声にすることができる。聴取に適した音声とは、換言すれば、ユーザの嗜好に沿った音声でもあり、低音強調、低音低減、高音強調、高音低減といった音声に設定変更することができる。
【００５７】
尚、本実施の形態においては、スピーカ１４０が下方に音声を出力するように設置されている場合を例に説明したが、これに限定されることはない。スピーカ１４０から出力された音声がディスプレイ１３０の前方（Ｚ軸負の方向）に位置するユーザに直接聴取されず、物体に反射されるようにスピーカ１４０が設置されていれば良い。例えば、スピーカ１４０が、ディスプレイ１３０の表示面（ＸＹ平面）に沿った方向に音を出力するように設置されている。この場合、出力された音声は上方若しくは左右に位置する壁等で反射される。従って、本実施の形態の音声制御を行い、聴取に適した音声に変更することでテレビジョン放送受信装置１００の音声を向上することが出来る。
【００５８】
尚、本発明は上記実施の形態そのままに限定されるものではなく、実施段階ではその要旨を逸脱しない範囲で構成要素を変形して具現化できる。また、上記実施の形態に開示されている複数の構成要素の適宜な組み合わせにより、種々の発明を形成できる。例えば、実施の形態に示される全構成要素から幾つかの構成要素を削除してもよい。更に異なる実施の形態にわたる構成要素を適宜組み合わせても良い。
【符号の説明】
【００５９】
１…アンテナ、２…入力端子、３…チューナ、４…ＴＳ処理部、５…信号処理部、６…グラフィック処理部、７…ＯＳＤ信号生成部、８…音声処理部、９…映像処理部、１０…ＨＤＤ、１１…制御部、１２…ＲＯＭ、１３…ＲＡＭ、１４…不揮発性メモリ、１５…操作部、１６…受信部、１７…ＨＤＭＩ  Ｉ／Ｆ、１８…ＨＤＭＩ端子、３２…音声ＤＳＰ、３３…Ｄ／Ａ変換器、３４…音声アンプ、３５…イコライザ、３６…音量制御部、１００…テレビジョン放送受信装置、１１０…キャビネット、１２０…スタンド、１３０…ディスプレイ、１４０…スピーカ、１５０…リモートコントローラ、１６０…テレビ台、２００…音声制御画面、２０１…壁掛け設置タブ、２０２…スタンド設置タブ、２０３…音声制御グラフ、２０４…ポインタ。
【図１】
2011188220.tif 000003
【図２】
2011188220.tif 000004
【図３】
2011188220.tif 000005
【図４】
2011188220.tif 000006
【図５】
2011188220.tif 000007
【図６】
2011188220.tif 000008
【図７】
2011188220.tif 000009
【図８】
2011188220.tif 000010
【手続補正書】
【提出日】平成23年6月27日(2011.6.27)
【手続補正１】
【補正対象書類名】特許請求の範囲
【補正対象項目名】全文
【補正方法】変更
【補正の内容】
【特許請求の範囲】
【請求項１】
映像を表示する表示部と、
下方向に向けて音声を出力するスピーカと、
第１の高さに前記表示部及び前記スピーカを設置する第１の設置形態と、前記第１の高さとは異なる第２の高さに前記表示部及び前記スピーカを設置する第２の設置形態とで、特性の異なった音声信号を前記スピーカに入力するイコライザと、
を有する電子機器。
【請求項２】
前記第１の設置形態は、前記電子機器を壁に掛ける設置形態であり、前記第２の設置形態は、前記電子機器をスタンドで支持する設置形態である
ことを特徴とする請求項１に記載の電子機器。
【請求項３】
前記イコライザは、
前記スピーカに入力される音声信号の複数の周波数帯域の信号成分ごとの強度を、前記第１の設置形態と前記第２の設置形態とで異ならせることを特徴とする請求項１又は請求項２に記載の電子機器。
【請求項４】
前記イコライザは、
前記第１の設置形態おける前記複数の周波数帯域のうちの低周波数帯域の信号成分の強度を、前記前記第２の設置形態おける前記複数の周波数帯域のうちの低周波数帯域の信号成分の強度よりも弱くすることを特徴とする請求項３に記載の電子機器。
【請求項５】
前記表示部は、前記第１，第２の設置形態における前記複数の周波数帯域の信号成分ごとの強度を変更するための画面を表示することを特徴とする請求項１乃至請求項４のいずれかに記載の電子機器。
【請求項６】
前記表示部は、前記第１，前記第２の設置形態のいずれかを選択するための画面を表示することを特徴とする請求項１乃至５のいずれかに記載の電子機器。
【請求項７】
前記表示部及び前記スピーカを前記第１の設置形態に固定する第１の固定機構と、
前記表示部及び前記スピーカを前記第２の設置形態に固定する第２の固定機構と、
をさらに備えることを特徴とする請求項１乃至６のいずれかに記載の電子機器。
【請求項８】
前記第１，第２の設置形態に対応する音声信号の複数の周波数帯域の信号成分ごとの強度が記憶された記憶部をさらに備えることを特徴とする請求項１乃至７のいずれかに記載の電子機器。
【請求項９】
映像を表示する表示部と、音声を出力するスピーカとを有する電子機器の音声制御方法であって、
第１の高さに前記表示部及び前記スピーカを設置する第１の設置形態と、前記第１の高さとは異なる第２の高さに前記表示部及び前記スピーカを設置する第２の設置形態とで、特性の異なった音声信号を前記スピーカに入力し、
前記音声信号に対応する音声を、前記スピーカから下方向に向けて出力する
ことを特徴とする音声制御方法。